(57)【要約】【課題】  押入れ内にスノコ形状の中棚を構築するに際して、構築が容易で、且つ無駄な部材を省いてなる中棚構築キットを提供する。【解決手段】  スノコ体１と、前掛材２と、後掛材３と、２本の壁付け根太材４と、後付板（独立した細幅板）５と、２種３本の四分一材６ａ，６ｂで構成し、スノコ体１が、適宜間隔で前後方向に複数配置した根太１２に、適宜長さの複数の細幅板１１を、後方部において前記根太を後方に張り出させ、且つ細幅板の左右両端部が前記根太より張り出させて適宜間隔で固着し、前部に根太前端面及び最前部細幅板下面が当接固定される前板１３で形成され、前掛材２はスノコ体の全高分の載置部を背面に設けてなり、後掛材３は根太の高さ分の載置部３１を前面に設けてなり、壁付け根太材４は、スノコ体の根太１２と一致する形状で、後付板５は独立した１本の細幅板である。【選択図】  図１
0003115651.tif 000002
【実用新案登録請求の範囲】
【請求項１】
適宜間隔で前後方向に複数配置した根太上に、適宜長さの複数の細幅板を、後方部において前記根太を後方に張り出させ、且つ左右両端部が前記根太より張り出させて適宜間隔で固着し、前部に根太前端面及び最前部細幅板下面が当接固定される前板で形成されるスノコ体と、スノコ体の全高分の載置部を背面に設けた適宜長さの前掛材と、前記根太の高さ分の載置部を前面に設けた適宜長さの後掛材と、スノコ体の根太と一致する形状の２本の根太材と、独立した１本の細幅板とで構成してなることを特徴とする押入れ中棚構築キット。
【請求項２】
前掛材の載置部を除く露出部分を桐化粧材で被覆した桐突き板張り材を使用すると共に、細幅板を桐材で形成した請求項１記載の押入れ中棚構築キット。
【請求項３】
請求項２記載のキットに、棚の両側及び背面に配置する桐材で形成した四分一材を加えてなる押入れ中棚構築キット。
【考案の詳細な説明】
【技術分野】
【０００１】
本考案は、押入れ内に構築する中棚のキットに関するものである。
【背景技術】
【０００２】
押入れの中棚は、押入れの壁面に釘着する枠状根太の上部に棚板を組み込んでなるものである。前記の中棚は通気性に問題があるために、従前においては、一般的なスノコ板（適宜間隔で細幅板を連結部材（小角材）に釘着した板状体）や、特殊構造のスノコ（特許文献１）を中棚板上に載置する手段が知られている（特許文献１）。
【０００３】
既存の押入れにスノコ板を使用せずに、押入れの構築に際して、予め通気機能を備えた中棚を構築する手段も種々提案されている。例えば特開２００１−２００６３１号公報（特許文献２）には、通常の中棚の構築に際して、棚板に通気穴を穿設すると共に、上面に縁部を形成し、縁部内にスノコ板を嵌合載置する手段が開示されている。
【０００４】
また登録実用新案第３０８２９２９号公報（特許文献３）には、中棚の構築に際して前掛け及び後掛け、スノコ受け及び棚板受けとなる側受けを構築した後、固定棚板と着脱可能なスノコ板とで、中棚を構築する手段が開示されている。
【０００５】
【特許文献１】登録実用新案第３０９１１６１号公報。
【特許文献２】特開２００１−２００６３１号公報。
【特許文献３】登録実用新案第３０８２９２９号公報。
【考案の開示】
【考案が解決しようとする課題】
【０００６】
通気性を備えた押入れの中棚の構築において、特許文献２，３記載の構成は、独立したスノコ板（複数の細幅板と複数の連結部材（小角材）を直交状態で釘着した板状体）を使用するものであるから、前記スノコ板を載置するための中棚板（特許文献２）や、載置根太（特許文献３）を特に必要としている。即ち独立したスノコ体を構成する部材とスノコ体を支持する部材が各別に必要とし、スノコ構造の中棚の構築には必ずしも必要としない部材も使用することになる。
【０００７】
また中棚構築に際して、建物毎に押入れサイズが微妙に相違するものであり、当該相違に対して柔軟に対応する必要がある。
【０００８】
そこで本考案は、スノコ形状の中棚の構築に際して、スノコ板の連結部材と載置根太を兼用して省資材となり、且つ構築が容易である中棚構築キットを提案したものである。
【課題を解決するための手段】
【０００９】
本考案に係る押入れ中棚構築キットは、適宜間隔で前後方向に複数配置した根太上に、適宜長さの複数の細幅板を、後方部において前記根太を後方に張り出させ、且つ細幅板の左右両端部が前記根太より張り出させて適宜間隔で固着し、前部に根太前端面及び最前部細幅板下面が当接固定される前板部で形成されるスノコ体と、スノコ体の全高分の載置部を背面に設けた適宜長さの前掛材と、前記根太の高さ分の載置部を前面に設けた適宜長さの後掛材と、スノコ体の根太と一致する形状の２本の根太材と、独立した１本の細幅板とで構成してなることを特徴とするものである。
【００１０】
而して前掛材と、側受けとなる根太材（壁付け根太）と、後掛材とを必要に応じて所定の長さに調整（切断）して、押入れ内の中棚設置箇所に、枠状に組上げるように押し入れ内壁面に固着し、また必要に応じてスノコ体の細幅板の端部及び根太の後端部を切断して長さ調整を行い、スノコ体の前板を前掛材の載置部に、根太の後端部を後掛材の載置部に、細幅板の両端を壁付け根太上に、それぞれ載置して固着し、更に独立細幅板を最奥方の上面に固着すると、スノコ構造の中棚が構築されるものである。
【００１１】
又前記キットに四分一材を加えると、前記の構築された中棚の両側及び背面の壁際の仕上げ処理も容易に行える。
【考案の効果】
【００１２】
本考案は、上記構成を備えた中棚構築キットで、無駄な資材（独立したスノコ体に採用される連結部材）を省き、且つ構築作業を効率的に実施することができて、スノコ構造の中棚を容易に構築することができたものである。
【考案を実施するための最良の形態】
【００１３】
次に本考案の実施の形態について説明する。実施形態に示した構築キットは、メーターモジュールの木造家屋の一畳分（２×４ｍ）の押入れに対応させたもので、スノコ体１と、前掛材２と、後掛材３と、２本の壁付け根太材４と、後付板（独立した細幅板）５と、２種３本の四分一材６ａ，６ｂで構成される。
【００１４】
スノコ体１は、細幅板１１と、根太１２と、前板１３とで形成される。根太１２は、Ｗ１４×Ｈ６０×Ｌ７７１（ｍｍ：以下単位は省略する）の大きさの赤松材で形成され、３００ｍｍの適宜間隔で前後方向に５本配置し、その上面に、Ｗ８６×Ｈ１５×Ｌ１９０の桐材で形成された細幅板１１を、７枚横方向に配置すると共に、１６ｍｍの間隙を空けて縦列して、前記根太１２に釘着または接着などの手段で固着する。
【００１５】
また前板１３は、Ｗ１４×Ｈ６０×Ｌ１９００の大きさの赤松材で形成され、根太１２の前端面及び最前部に配置している細幅板１１の前端下面に当接固定されるものである。
【００１６】
従って平面視１９００ｍｍ×７６４ｍｍの大きさで、後方部において根太１２が後方に張り出し、且つ細幅板１１の左右両端部が前記根太１２より張り出しているスノコ体１が形成されるものである。
【００１７】
前掛材２は端面Ｌ状の長尺材で、赤松材を芯材とし、前面及び上面に桐突板を貼った化粧材で、Ｗ（前後厚）４５×Ｈ１０５×Ｌ１９００で、背面に前記スノコ体１の前板１３が載置される載置部２１を設けてなる。載置部２１は前後幅２４ｍｍ、高さ７５ｍｍの抉り形状である。
【００１８】
後掛材３は端面Ｌ状の長尺材で、赤松材で、Ｗ（前後厚）３０×Ｈ９０×Ｌ１９００で、前面にスノコ体１の根太１２の後端部が載置される載置部３１を設けてなる。載置部３１は前後幅１５ｍｍ、高さ６０ｍｍの抉り形状である。
【００１９】
２本の壁付け根太材４は、スノコ体１の根太１２と同一の大きさで、Ｗ１４×Ｈ６０×Ｌ７７１の赤松材である。
【００２０】
後付板５は、スノコ体１の細幅板１１と同一で、Ｗ８６×Ｈ１５×Ｌ１９０の桐材で形成されたものである。
【００２１】
四分一材は、Ｗ１５×Ｈ９×Ｌ１９０の桐材からになる１本の長尺四分一材６ａと、Ｗ１５×Ｈ９×Ｌ８０６の桐材からなる２本の短尺四分一材６ｂの３本で構成される。
【００２２】
前記のキットは、木造建築における押入れの中棚構築に際して使用されるもので、その使用状態を構築手順に添って次に説明する
【００２３】
前掛材２の載置部２１と、後掛材３の載置部３１に壁付け根太４の前後端が載置さる状態で、押入れ内の中棚設置箇所に、枠状に組上げるように押し入れの内壁面Ａに釘等で固着する（図２，３：棚枠の構築）。
【００２４】
尚押し入れ自体の構築に際しては、必ずしも完全な寸法通りに構築されずに微妙な相違が生ずる。これに対しては各部材を所定の長さに調整（切断）して棚枠を形成する。
【００２５】
次にスノコ体１を前記棚枠に載置固着するもので、スノコ体１の前板１３部分を前掛材２の載置部２１に、根太１２の後端部は後掛材３の載置部３１に、また細幅板１１の両端部分は壁付け根太４上に、それぞれ載置して固着する。
【００２６】
尚微調整が必要となる場合には、細幅板１１及び前板１３の端部や、根太１２の後端部を切断して長さ調整を行う。
【００２７】
そして後付板（独立細幅板）５を、後掛材３の上面を被覆するようにし、且つスノコ体１の最奥の細幅板１１との間に適宜な間隔を有せしめて固着する。後付板５を採用したのは、押入れの奥行きに微妙な相違があったとしても対応できるようにするためである。即ち後付板５は、幅及び長さの切断加工によって調整可能としたものである。
【００２８】
更に内壁面Ａと細幅板１１及び後付板（独立細幅板）５との境界部分には、四分一材６ａ，６ｂを固着するもので、この固着によって継ぎ目箇所の仕上げを行うことになる。
【００２９】
以上の手順によってスノコ構造の押入れ中棚が用意に構築することができ、しかも構築された中棚は、棚面となる細幅板１１及び後付板（独立細幅板）５が桐材でしかもスノコ構造となっているものであるから、通気性に優れると共に、桐材が備えている呼吸機能も併せ持つ優れた中棚構造であり、また外観も桐材のみが視認されることになり、高級感も付与されるものである。
【００３０】
尚前記の実施形態は、メーターモジュールの寸法を採用したが、そのままのキットでも切断処理によって尺モジュールに対応できるが、尺モジュール対応の寸法に基づく部材キットとしても良い。また細幅板の幅寸法や間隙寸法は任意に設定することができるものである。
【図面の簡単な説明】
【００３１】
【図１】本考案の実施形態のキット構成部材の斜視図。
【図２】同棚枠組上げ状態の斜視図。
【図３】同棚枠組上げ状態の平面図。
【図４】同中棚組上げ状態の斜視図。
【図５】同中棚組上げ状態の平面図。
【図６】同中棚組上げ状態の断面図。
【符号の説明】
【００３２】
１      スノコ体
１１    細幅板
１２    根太
１３    前板
２      前掛材
２１    載置部
３      後掛材
３１    載置部
４      根太材（壁付け根太）
５      後付板（独立細幅板）
６ａ，６ｂ    四分一材
【図１】
0003115651.tif 000003
【図２】
0003115651.tif 000004
【図３】
0003115651.tif 000005
【図４】
0003115651.tif 000006
【図５】
0003115651.tif 000007
【図６】
0003115651.tif 000008